(57)【要約】【課題】複数のトレイに分かれて収納されている用紙を複数枚用いて、各用紙の表裏へ各頁画像をそれぞれ印刷するために、各頁画像の並び順を変更しても、同一用において表に印刷される頁画像のトレイ情報と裏に印刷される頁画像のトレイ情報の整合性を意識することなく、並び順を変更できるようにする。【解決手段】各トレイ情報ＴＩと各頁画像ＨＧとはそれぞれ関連付けられている。複数の頁画像ＨＧの並び順を変更する指示を受け付け、変更指示に基づいて、並び順を変更する。そして、各頁画像ＨＧが表に印刷されるのか裏に印刷されるのかを判別し、並び順の変更後に表に印刷される頁画像ＨＧのトレイ情報ＴＩは変更せず、裏に印刷される頁画像ＨＧのトレイ情報ＴＩは同一用紙の表に印刷される頁画像ＨＧのトレイ情報ＴＩに変更する。【選択図】図５
2013236239.tif 000002
【特許請求の範囲】
【請求項１】
複数のトレイに分かれて収納されている用紙を複数枚用いて、前記各用紙の表裏に各頁画像をそれぞれ印刷するために、該各頁画像を印刷する前記各用紙が前記複数のトレイのうちいずれのトレイに収納されているかを示す各トレイ情報と前記各頁画像とを複数並べて表すデータを編集するデータ編集装置であって、
前記複数の頁画像の並び順を変更する指示を受け付ける並順変更受付部と、
前記変更指示に基づいて、前記並び順を変更するとともに前記トレイ情報を編集するデータ編集部とを備え、
前記各トレイ情報と前記各頁画像とが互いに関連付けられており、
該データ編集部が、前記各頁画像が前記表に印刷されるか前記裏に印刷されるかを判別するとともに、前記並び順の変更後、前記表に印刷される前記頁画像の前記トレイ情報は変更せず、前記裏に印刷される前記頁画像の前記トレイ情報は同一用紙の前記表に印刷される前記頁画像の前記トレイ情報に変更することを特徴とするデータ編集装置。
【請求項２】
該データ編集部が、前記トレイ情報が優先トレイであるか否かを判別するとともに、前記並び順の変更後、前記裏に印刷される前記頁画像の前記トレイ情報が前記優先トレイであるとき、該優先トレイである前記裏に印刷される前記頁画像の前記トレイ情報は変更せず、同一用紙において前記表に印刷される前記頁画像の前記トレイ情報を前記優先トレイに変更することを特徴とする請求項１に記載のデータ編集装置。
【請求項３】
前記並順変更受付部が、前記複数の頁画像のうち、１つの頁画像の選択を受け付けるとともに、該選択された前記１つの頁画像を移動させる指示を受け付けることにより、前記並び順を変更させる指示を受け付けるものであることを特徴とする請求項１または２に記載のデータ編集装置。
【請求項４】
前記データ編集部が、前記頁画像の頁番号に基づいて、前記頁番号が奇数の場合は前記表に印刷される頁画像と判別し、前記頁番号が偶数の場合は前記裏に印刷される頁画像と判別することを特徴とする請求項１〜３のいずれか１項に記載のデータ編集装置。
【請求項５】
複数のトレイに分かれて収納されている用紙を複数枚用いて、前記各用紙の表裏への各頁画像の印刷において、該各頁画像を印刷する前記各用紙が前記複数のトレイのうちいずれのトレイに収納されているかを示す各トレイ情報と前記各頁画像とを複数並べて表すデータを編集するためにコンピュータを、
前記頁画像の並び順を変更する指示を受け付ける頁順変更受付手段と、
前記変更指示に基づいて、前記並び順を変更するとともに前記トレイ情報を編集するデータ編集手段として機能させ、
前記各トレイ情報と前記各頁画像とが互いに関連付けられており、
該データ編集手段が、前記頁画像が前記表に印刷されるか前記裏に印刷されるかを判別するとともに、前記並び順の変更後、前記表に印刷される前記頁画像の前記トレイ情報は変更せず、前記裏に印刷される前記頁画像の前記トレイ情報は同一用紙の前記表に印刷される前記頁画像の前記トレイ情報に変更するデータ編集プログラム。
【発明の詳細な説明】
【技術分野】
【０００１】
本発明は、複数のトレイに分かれて収納されている用紙を複数枚用いて各用紙の表裏に各頁画像をそれぞれ印刷するために、各頁画像を印刷する各用紙が複数のトレイのうちいずれのトレイに収納されているかを示す各トレイ情報と複数の頁画像とを並べて表すデータを編集するデータ編集装置およびプログラムに関する。
【背景技術】
【０００２】
従来、複数のトレイに分かれて収納されている用紙を複数枚用いて各用紙の表裏に各頁画像をそれぞれ印刷において、複数の頁画像を並べて表すデータを編集するデータ編集装置およびプログラムが知られている。そして、当該データは各頁画像を印刷すべき各用紙が複数のトレイのうち、いずれのトレイに収納されているかを示すトレイの情報も表すこともできる。また、このようなデータ編集装置およびプログラムは、編集中の頁画像の仕上がり状態を表示し、ユーザが複数の頁画像の位置、大きさ、方向もしくは並び順を変更する操作を行うと、ユーザ指示に基づいて複数の頁画像を編集できることも知られている。特許文献１には、両面印刷される複数の頁画像を見開２頁の仕上がり状態で表示し、表示されている頁画像を選択して並び順を変更できる技術が提案されている。
【先行技術文献】
【特許文献】
【０００３】
【特許文献１】特開２００７−１１０６７７号公報
【発明の概要】
【発明が解決しようとする課題】
【０００４】
ここで、複数の頁画像の並び順を変更しても、各頁画像に対応するトレイ情報を変更しないと、各頁画像を印刷する用紙種類は変更されないことになる。この並び順に依存しない各頁画像と用紙種類との関連付けは、片面印刷においては便利な機能である。しかしながら、両面印刷において並び順を変更してもトレイ情報を変更しないと、変更後の並び順において同一用紙の表に印刷される頁画像のトレイ情報と裏に印刷される頁画像のトレイ情報が異なってトレイ情報が整合しない可能性がある。
【０００５】
したがって、ユーザが両面印刷において複数の頁画像の並び順を変更する場合は、変更後の並び順で同一用紙の表に印刷される頁画像のトレイ情報と裏に印刷される頁画像のトレイ情報とが整合しているか否かを確認する必要があり、ユーザの負担が増加する虞がある。
【０００６】
本発明の目的は、上記事情に鑑み、複数のトレイに分かれて収納されている用紙を複数枚用いて各用紙の表裏への各頁画像の印刷において、複数の頁画像の並び順を変更しても、同一用紙において表に印刷される頁画像のトレイ情報と裏に印刷される頁画像のトレイ情報の整合性を意識することなく、並び順を変更できるとともにトレイ情報を編集できるデータ編集装置およびプログラムを提供することにある。
【課題を解決するための手段】
【０００７】
上記の課題を解決するために、本発明のデータ編集装置は、複数のトレイに分かれて収納されている用紙を複数枚用いて、各用紙の表裏に各頁画像をそれぞれ印刷するために、各頁画像を印刷する各用紙が複数のトレイのうちいずれのトレイに収納されているかを示す各トレイ情報と各頁画像とを複数並べて表すデータを編集するデータ編集装置であって、複数の頁画像の並び順を変更する指示を受け付ける並順変更受付部と、変更指示に基づいて、並び順を変更するとともにトレイ情報を編集するデータ編集部とを備え、各トレイ情報と各頁画像とが互いに関連付けられており、データ編集部が、各頁画像が表に印刷されるのか裏に印刷されるのかを判別するとともに、並び順の変更後、表に印刷される頁画像のトレイ情報は変更せず、裏に印刷される頁画像のトレイ情報は同一用紙の表に印刷される頁画像のトレイ情報に変更することを特徴とする。
【０００８】
本発明のデータ編集プログラムは、コンピュータを上記のデータ編集装置として機能させるために、上記並順変更受付部を並順変更受付手段、上記データ編集部をデータ編集手段として機能させ、前記各トレイ情報と前記各頁画像とが互いに関連付けられており、データ編集手段が、頁画像が表に印刷されるのか裏印刷されるのかを判別するとともに、並び順の変更後、表に印刷される頁画像のトレイ情報は変更せず、裏に印刷される頁画像のトレイ情報は同一用紙の表に印刷される頁画像のトレイ情報に変更するものである。
【０００９】
ここで、本発明のデータ編集装置およびプログラムにおける「複数並べて表すデータ」とは、複数の頁画像とトレイ情報とを並べた状態で表すデータを意味する。また、上記「トレイ情報」とは、頁画像を印刷すべき用紙が収納されているトレイを示す情報を意味する。
【００１０】
また、本発明のデータ編集装置において、データ編集部が、トレイ情報が優先トレイであるか否かを判別するとともに、並び順の変更後、裏に印刷される頁画像のトレイ情報が優先トレイであるとき、優先トレイである裏に印刷される頁画像のトレイ情報は変更せず、同一用紙において表に印刷される頁画像のトレイ情報を優先トレイに変更するものであってもよい。
【００１１】
ここで「優先トレイ」とは、他トレイよりも優先させるトレイを意味するものであり、トレイ情報が優先トレイを示す場合、並び順が変更されてもトレイ情報せずに優先トレイを示すことを意味する。
【００１２】
また、本発明のデータ編集装置において、並順変更受付部が、複数の頁画像のうち、１つの頁画像の選択を受け付けるともに、選択された１つの頁画像を移動させる指示を受け付けることにより、並び順を変更させる指示を受け付けるものであってもよい。
【００１３】
また、本発明のデータ編集装置において、データ編集部が、頁画像の頁番号に基づいて、頁番号が奇数の場合は表に印刷される頁画像と判別し、頁番号が偶数の場合は裏に印刷される頁画像と判別するものであってもよい。
【発明の効果】
【００１４】
本発明のデータ編集装置およびプログラムによれば、各トレイ情報と各頁画像とが互いに関連付けられており、複数の頁画像の並び順を変更する指示を受け付け、変更指示に基づいて、並び順を変更するとともに各頁画像が表に印刷されるのか裏に印刷されるのかを判別し、並び順の変更後に表に印刷される頁画像のトレイ情報は変更せず、裏に印刷される頁画像のトレイ情報は同一用紙の表に印刷される頁画像のトレイ情報に変更することにより、並び順の変更後に同一用紙の表と裏においてトレイ情報が一致するため、ユーザがトレイ情報の整合性を意識することなく、頁画像の並び順を変更できるとともにトレイ情報を編集できる。
【００１５】
また、本発明のデータ編集装置によれば、トレイ情報が優先トレイであるか否かを判別するとともに、並び順の変更後、裏に印刷される頁画像のトレイ情報が優先トレイであるとき、優先トレイである裏に印刷される頁画像のトレイ情報は変更せず、同一用紙において表に印刷される頁画像のトレイ情報を優先トレイに変更するため、優先トレイに収納された用紙で印刷すべき頁画像については並び順を変更しても用紙トレイが変更されない対応を可能にしつつ、ユーザがトレイ情報の整合性を意識することなく、頁画像の並び順を変更できるとともにトレイ情報を編集できる。
【００１６】
また、本発明のデータ編集装置によれば、複数の頁画像のうち、１つの頁画像の選択を受け付けるともに、選択された１つの頁画像を移動させる指示を受け付けることにより、並び順を変更させる指示を受け付けるため、簡単な操作でユーザがトレイ情報の整合性を意識することなく、頁画像の並び順を変更できるとともにトレイ情報を編集できる。
【００１７】
また、本発明のデータ編集装置によれば、頁画像の頁番号に基づいて、頁番号が奇数の場合は表に印刷される頁画像と判別し、頁番号が偶数の場合は裏に印刷される頁画像と判別するため、複雑な処理を行わずにトレイ情報の整合性を意識することなく、頁画像の並び順を変更できるとともにトレイ情報を編集できる。
【図面の簡単な説明】
【００１８】
【図１】くるみ製本システムの概略構成図
【図２】データ編集部のブロック図
【図３Ａ】表紙画像データの編集画面を示す図（その１）
【図３Ｂ】表紙画像データの編集画面を示す図（その２）
【図４】本紙画像データの編集画面を示す図
【図５】頁画像の並び順を変更する図
【図６Ａ】合紙の頁画像を含む頁画像の並び順を変更する模式図（その１）
【図６Ｂ】合紙の頁画像を含む頁画像の並び順を変更する模式図（その２）
【図７Ａ】合紙の頁画像を移動させて並び順を変更する模式図（その１）
【図７Ｂ】合紙の頁画像を移動させて並び順を変更する模式図（その２）
【図８】優先トレイの設定画面
【図９】優先トレイの頁画像を移動させて並び順を変更する模式図
【図１０】データ編集部の一連の処理を示すフローチャート
【発明を実施するための形態】
【００１９】
本発明の実施形態について図面を参照して説明する。図１は、本発明の実施形態であるデータ編集部４４を備えたくるみ製本システム１の概略構成図である。くるみ製本システム１は、図１に示すように、印刷装置２、印刷装置２に隣接する製本装置３、印刷装置２とネットワークを介して接続するコンピュータ４とから構成されている。
【００２０】
くるみ製本システム１は、コンピュータ４において、原稿データＤＤを生成し、原稿データＤＤに基づいて画像データＧＤを生成し、画像データＧＤに基づいて印刷データＰＤを生成する。そして、印刷装置２において、印刷データＰＤに基づいて、表紙Ｃと複数枚の本紙Ｈとを印刷し、製本装置３において、複数枚の本紙Ｈを束ねて表紙Ｃで包むことにより、冊子に製本する。
【００２１】
原稿Ｄは、表紙Ｃからなる表紙原稿ＣＤおよび複数枚の本紙Ｈからなる本紙原稿ＨＤから構成される。そして、原稿Ｄは、複数枚の本紙Ｈを表紙Ｃで包んで製本することにより、冊子に製本される。原稿データＤＤは、表紙原稿ＣＤを表す表紙原稿データＣＤＤと本紙原稿ＨＤを表す本紙原稿データＨＤＤとから構成される。
【００２２】
画像データＧＤは、表紙Ｃの印刷画像（以下、表紙印刷画像ＣＧという）を表す表紙画像データＣＧＤと複数の本紙Ｈの複数の印刷画像（以下、頁画像ＨＧという）を表す本紙画像データＨＧＤとから構成される。印刷データＰＤは、表紙Ｃの印刷ジョブデータである表紙印刷データＣＰＤと本紙Ｈの印刷ジョブデータである本紙印刷データＨＰＤとから構成される。印刷データＰＤはＰＤＬ（Page Description Language）データやラスターデータで構成される。
【００２３】
最初に印刷装置２について説明する。印刷装置２は、印刷データＰＤをコンピュータ４からネットワークを介して受け取り、表紙印刷データＣＰＤに基づいて表紙用紙に表紙Ｃと本紙印刷データＨＰＤに基づいて本紙用紙に複数枚の本紙Ｈとを印刷するものである。印刷装置２は、印刷制御部２１、画像データ記憶部２２、印刷給紙部２３および印刷部２４を備えている。
【００２４】
印刷制御部２１は、各部を制御することにより印刷装置２の全体を制御するものである。また、印刷制御部２１は、コンピュータ４から印刷データＰＤを受け取り、印刷データＰＤに基づいて画像データＧＤに展開する。印刷制御部２１は、表紙印刷データＣＰＤに基づいて表紙画像データＣＧＤ、本紙印刷データＨＰＤに基づいて本紙画像データＨＧＤにそれぞれ展開する。
【００２５】
画像データ記憶部２２は、表紙画像データＣＧＤおよび本紙画像データＨＧＤを印刷が行われるまで記憶するものである。印刷給紙部２３は、印刷部２４に表紙用紙または本紙用紙を給紙するものである。印刷給紙部２３はトレイ２３Ａ，２３Ｂ，２３Ｃおよび給紙台２４Ｄを備えている。印刷給紙部２３は、収納されている表紙用紙および本紙用紙の大きさ、厚み、判型等の情報を記憶している。本実施形態において、給紙台２４Ｄには表紙用紙が収納され、トレイ２３Ａ，２３Ｂ，２３Ｃに本紙用紙が分かれて収納されているものとする。
【００２６】
印刷部２４は、画像データＧＤに基づいて、表紙Ｃおよび／または複数枚の本紙Ｈを印刷するものである。印刷部２４は、表紙画像データＣＧＤに基づいて、表紙用紙に表紙Ｃを印刷し、本紙画像データＨＧＤに基づいて、本紙用紙に複数枚の本紙Ｈを印刷する。印刷部２４には、孔版印刷プリンタやインクジェットプリンタやレーザープリンタ等を用いてもよい。本紙印刷データＨＰＤには、ページ数情報、片面印刷または両面印刷かの印刷条件情報も付加されており、印刷制御部２１は、これらの情報に基づいて、印刷部２４に表紙用紙に表紙Ｃを印刷させる。
【００２７】
次に製本装置３について説明する。製本装置３は包み製本装置である。製本装置３は、印刷装置２より表紙Ｃおよび複数枚の本紙Ｈを受け取る。製本装置３は、表紙Ｃを所定の長さに裁断する。また、製本装置３は、本紙Ｈの小口側、天側および地側の各側面から所定寸法だけ内側を裁断（以下、化粧裁ちと言う。）してもよい。そして、製本装置３は、複数枚の本紙Ｈを束ねて本紙束に綴じて背側の側面に接着剤を塗布した後、本紙束を表紙Ｃで包んで冊子を形成する。
【００２８】
次にコンピュータ４について説明する。コンピュータ４は、表示部４Ａ、入力部４Ｂおよび本体４Ｃから構成されている。表示部４Ａは、液晶モニタ等の表示装置であり、原稿データ作成プログラム、プリンタドライバおよびデータ編集プログラムを表示する。入力部４Ｂは、キーボード、マウス、ポインティングデバイス等の入力装置であり、原稿データ作成プログラム、プリンタドライバおよびデータ編集プログラムの操作を受け付ける。
【００２９】
本体４Ｃは、中央処理装置（ＣＰＵ）および半導体メモリやハードディスク等から構成され、原稿データ作成プログラム、プリンタドライバおよびデータ編集プログラムをインストールすることにより、コンピュータ４を、原稿データ作成部４２、印刷出力部４３およびデータ編集部４４として機能させる。メモリ４１は、原稿データ作成プログラム、プリンタドライバ、データ編集プログラム、原稿データＤＤおよび画像データＧＤを記憶するものである。なお、原稿データＤＤおよび画像データＧＤは他のコンピュータで作成されたものであってもよい。
【００３０】
原稿データ作成部４２は、原稿データＤＤを生成するものである。原稿データ作成プログラムには、原稿作成用としてMicrosoft社のWord、Excel（登録商標）、PowerPoint（登録商標）、原稿データＤＤへの変換用としてPDF（登録商標）ドライバ等のプログラムを用いてもよい。
【００３１】
原稿データ作成部４２は、表紙原稿ＣＤの画像（以下、表紙原稿画像ＣＤＧという。）および本紙原稿ＨＤの画像（以下、本紙原稿画像ＨＤＧという。）を表示部４Ａに表示しながら、入力部４Ｂからのユーザ操作に基づいて形成し、PDF（Portable Document Format）形式の原稿データＤＤを生成する。原稿データ作成部４２は、本紙原稿ＨＤの頁情報およびインデックス情報を本紙原稿データＨＤＤに付加する。印刷出力部４３は、データ編集部４４から画像データＧＤを受け取り、印刷データＰＤを生成して印刷装置２に出力するものである。コンピュータ４は、データ編集部４４が印刷処理を行い、プリンタドライバが起動させると、印刷出力部４３として機能する。
【００３２】
データ編集部４４は、原稿データＤＤに基づいて、画像データＧＤを編集するものであり、表紙原稿データＣＤＤに基づいて表紙画像データＣＧＤ、本紙原稿データＨＤＤに基づいて本紙画像データＨＧＤを編集する。図２はデータ編集部４４のブロック図を示す。データ編集部４４は、図２に示す通り、制御部４４１、表紙画像データ編集部４４２および本紙画像データ編集部４４３およびから構成されている。
【００３３】
制御部４４１は、上記の各部、表示部４Ａおよび入力部４Ｂを制御することにより、データ編集部４４としてコンピュータ４の全体を制御するものである。また、制御部４４１は、入力部４Ｂが受け付けたユーザ指定の原稿データＤＤをメモリ４１から読み出すものである。
【００３４】
表紙画像データ編集部４４２は、表紙原稿データＣＤＤに基づいて、表紙画像データＣＧＤを編集するものである。図４Ａおよび図４Ｂは表紙画像データＣＧＤの編集画面を示す。表紙画像データ編集部４４２は、図４Ａおよび図４Ｂに示すように、表紙編集領域ＣＡ上に表紙原稿画像ＣＤＧを配置して表紙印刷画像ＣＧを構成し、表紙印刷画像ＣＧと表紙印刷画像ＣＧのサムネイル画像とを表示する。そして、ユーザは表紙印刷画像ＣＧを参照しながら、表紙編集領域ＣＡ上の表紙原稿画像ＣＤＧが所望の位置、方向および大きさとなるように入力部４Ｂを操作する。表紙画像データ編集部４４２は、入力部４Ｂが受け付けた操作情報に基づいて、表紙画像データＣＧＤを編集する。
【００３５】
表紙印刷画像ＣＧは、図４Ａおよび図４Ｂに示す通り、表表紙画像、背表紙画像、裏表紙画像、表表紙の裏面画像、背表紙の裏面画像および裏表紙の裏面画像から構成される。図４Ａおよび図４Ｂは、左綴じ用の表紙Ｃの表紙印刷画像ＣＧを示している。なお、データ編集部４４は、左綴じ用の表紙画像データＣＧＤの編集に限定されるものではなく、右綴じ用または上綴じ用に用いることも可能である。
【００３６】
表紙画像データ編集部４４２は、入力部４Ｂが受け付けた製本の綴じ位置情報、すなわち表紙Ｃが左綴じ、右綴じまたは上綴じであるかに応じて、表表紙画像、背表紙画像、裏表紙画像、表表紙の裏面画像、背表紙の裏面画像および裏表紙の裏面画像の表紙編集領域ＣＡ上の配置順を変更できる。
【００３７】
本紙画像データ編集部４４３は、本紙原稿データＨＤＤに基づいて、本紙画像データＨＧＤを編集するものである。図５は本紙画像データＨＧＤの編集画面を示す。本紙画像データ編集部４４３は、図５に示すように、本紙原稿データＨＤＤに基づいて、複数の本紙編集領域ＨＡ上に複数の本紙原稿画像ＨＤＧを配置して複数の頁画像ＨＧを構成し、頁画像ＨＧと頁画像ＨＧのサムネイル画像とを並べて表示する。
【００３８】
また、本紙画像データ編集部４４３は、印刷条件が両面印刷のとき、各頁画像ＨＧが本紙用紙の表に印刷されるのか裏に印刷されるのかを判別して表示する。本実施形態においては、両面印刷された本紙に扉頁や合紙等が含まれる場合や、もしくは片面印刷された本紙Ｈを一部に含む場合であっても、これらに対応する頁画像ＨＧは常に同一用紙において表裏となる２つの頁画像ＨＧとして構成する。したがって、本紙画像データ編集部４４３は、頁番号が奇数のとき頁画像ＨＧが本紙用紙の表に印刷されるものと判別し、頁番号が偶数のとき頁画像ＨＧが本紙用紙の裏に印刷されるものと判別できる。
【００３９】
ユーザは頁画像ＨＧを視認しながら、本紙編集領域ＨＡ上の本紙原稿画像ＨＤＧが所望の位置、方向および大きさとなるように入力部４Ｂを操作する。ユーザは複数の頁画像ＨＧのうちの１つの頁画像ＨＧを選択して所望の並び位置に移動させるように入力部４Ｂを操作する。そして、本紙画像データ編集部４４３が、入力部４Ｂが受け付けた操作指示に基づいて、本紙画像データＨＧＤを編集する。
【００４０】
頁画像ＨＧの並び順の変更について説明する。図５は、複数の頁画像ＨＧの並び順の変更を示す模式図である。本紙画像データ編集部４４３は、本紙原稿データＨＤＤを読み出すと、図５に示すように、本紙原稿データＨＤＤの頁情報に基づいて、複数の頁画像ＨＧを複数並べて表示する。また、本紙画像データＨＧＤは、各頁画像ＨＧを印刷するべき本紙用紙がトレイ２３Ａ，２３Ｂ，２３Ｃのうちいずれのトレイに収納されている示すトレイ情報ＴＩを頁画像ＨＧ毎に表すものでもある。すなわち各トレイ情報ＴＩと各頁画像ＨＧとは互いに関連付けられている。
【００４１】
本実施形態では、本紙画像データ編集部４４３は、図４の編集画面においては、表に印刷される頁画像ＨＧの側方にトレイ情報ＴＩを表示し、裏に印刷される頁画像ＨＧの側方にはトレイ情報ＴＩを表示しないが、トレイ情報ＴＩを表示するか否かは特に限定されるものではない。トレイ情報ＴＩが示す数字が対応するトレイ番号である。なお、以下に説明する図においては、理解を容易にするため、裏に印刷される頁画像ＨＧについても側方にトレイ情報ＴＩを破線で表示する。
【００４２】
以下に説明する図において、各頁画像ＨＧの下方に示す数値は、各頁画像ＨＧの本紙画像データＨＧＤにおける並び位置を示すものである。そして、本紙画像データ編集部４４３は、各頁画像ＨＧの頁番号に基づいて、本紙用紙の表に印刷される各頁画像ＨＧは並び位置１，３，５…、すなわち奇数番号の並び位置に配置し、本紙用紙の表に印刷される各頁画像ＨＧは並び位置２，４，６…すなわち偶数番号の並び位置に配置する。そして、本紙画像データ編集部４４３は、並び位置１，２の対、並び位置３，４の対、並び位置５，６…の各対が同一の本紙用紙に表裏の順で印刷されるもの判別する。
【００４３】
図５は、本紙原稿画像ＨＤＧが４である頁画像ＨＧを選択して並び位置４から並び位置５へ移動させて並び順を変更する態様を示している。また、図５において左図は変更前の並び順、右図は変更後の並び順を示している。変更前の並び順では、並び位置１，２，５および６にある頁画像ＨＧのトレイ情報ＴＩが１で並び位置３および４にある頁画像ＨＧのトレイ情報ＴＩが２であり、同一用紙おける各トレイ情報は整合している。
【００４４】
入力部４Ｂが本紙原稿画像ＨＤＧが４である頁画像ＨＧを選択して並び位置４から並び位置５へ移動させる指示を受け付けると、本紙画像データ編集部４４３は、操作指示に基づいて、図５に示すように、本紙原稿画像ＨＤＧが４である頁画像ＨＧと本紙原稿画像ＨＤＧが５である頁画像ＨＧとの並び位置が入れ替わるように、６つの頁画像ＨＧの並び順を変更する。
【００４５】
本紙画像データ編集部４４３は、６つの頁画像ＨＧの並び順が変更された後、並び位置１，３，５にある本紙用紙の表に印刷される頁画像ＨＧのトレイ情報ＴＩは変更せず、並び位置２，４，６にある本紙用紙の裏に印刷される頁画像ＨＧのトレイ情報ＴＩは、並び位置１，３，５にある頁画像ＨＧのトレイ情報ＴＩに変更するように、各トレイ情報ＴＩを編集する。
【００４６】
すなわち本紙画像データ編集部４４３は、並び順を変更した後も並び位置１で本紙原稿画像ＨＤＧが１である頁画像ＨＧのトレイ情報ＴＩは１のまま変更せず、変更後も並び位置２で本紙原稿画像ＨＤＧが２である頁画像ＨＧのトレイ情報ＴＩも並び位置１にあるレイ情報と同じ１にし、変更後も並び位置３で本紙原稿画像ＨＤＧが３である頁画像ＨＧのトレイ情報ＴＩは２のまま変更せず、変更後に並び位置５から４に移動した本紙原稿画像ＨＤＧが５である頁画像ＨＧのトレイ情報ＴＩは１から並び位置３の頁画像ＨＧのトレイ情報ＴＩである２に変更し、変更後に並び位置４から５に移動した本紙原稿画像ＨＤＧが４である頁画像ＨＧのトレイ情報ＴＩは２のまま変更せず、変更後も並び位置６で本紙原稿画像ＨＤＧが６である頁画像ＨＧのトレイ情報ＴＩは、並び位置５にあるレイ情報と同じにするように、トレイ情報ＴＩを編集する。
【００４７】
したがって、並び順を変更しても、並び位置１，２にある頁画像ＨＧのトレイ情報ＴＩが１であり、並び位置３，４，５および６にある頁画像ＨＧのトレイ情報ＴＩが２であるため、同一用紙おけるトレイ情報ＴＩは整合している。
【００４８】
次に本紙画像データＨＧＤが合紙となる頁画像ＨＧを含む場合の並び順の変更について説明する。図６Ａおよび図６Ｂは合紙を挟んで頁画像ＨＧを移動させて並び順を変更する態様を示す模式図である。なお、図６Ａおよび図６Ｂも左図が変更前の並び順、右図が変更後の並び順を示している。
【００４９】
前述の通り、本紙画像データ編集部４４３は、合紙に対応する頁画像ＨＧを同一用紙における表裏の画像とする。したがって、図６Ａおよび図６Ｂにおいては、合紙の頁画像ＨＧは並び位置５，６でトレイ情報ＴＩも共通の３を示す。図６Ａは、並び位置７で本紙原稿画像ＨＤＧが７である頁画像ＨＧを、合紙を挟んで並び位置４へ移動させて並び順を変更させる態様を示している。入力部４Ｂが並び位置７で本紙原稿画像ＨＤＧが７である頁画像ＨＧを並び位置４へ移動させる操作指示を受け付けると、本紙画像データ編集部４４３が、操作指示に基づいて、並び位置７で本紙原稿画像ＨＤＧが７である頁画像ＨＧを並び位置４に繰り上げ、本紙原稿画像ＨＤＧが４である頁画像ＨＧを並び位置５繰り下げるように、並び順を変更する。
【００５０】
しかしながら、このままの並び順では合紙の頁画像ＨＧよりも前の並び位置に５つの頁画像ＨＧが存在することになり、合紙の頁画像ＨＧが並び位置６および７に配置されてしまい、合紙の頁画像ＨＧが同一用紙に対応するものではなく不都合が生じる。したがって、本紙画像データ編集部４４３は、並び順を変更した場合に合紙の頁画像ＨＧよりも前の並び位置にある頁画像ＨＧの数が奇数であるとき、合紙の頁画像ＨＧと直前の頁画像ＨＧとの間に空白の頁画像ＨＧを挿入し、合紙よりも前の並び位置にある頁画像ＨＧの数を常に偶数にする。
【００５１】
そして、本紙画像データ編集部４４３は、並び位置６に空白の頁画像ＨＧを挿入し、合紙の頁画像ＨＧが並び位置７および８に繰り下げ、本紙原稿画像ＨＤＧが６である頁画像ＨＧを並び位置９に繰り上げ、並び位置１０に空白の頁画像ＨＧを挿入するように、並び順を変更する。なお、本紙原稿画像ＨＤＧが４，６である頁画像ＨＧは本紙用紙の表に片面印刷されることになる。
【００５２】
したがって、本紙画像データ編集部４４３は、本紙画像データＨＧＤが合紙の頁画像ＨＧを含む場合であっても、並び順の変更によって合紙の頁画像ＨＧが同一用紙とならない不都合を回避して並び順を変更できる。また、本紙画像データ編集部４４３は、合紙の頁画像ＨＧと同様に、片面印刷すべき頁画像ＨＧと空白の頁画像を同一用紙において表裏となる並び位置に常に配置することにより、片面印刷すべき頁画像ＨＧを混在させることもできる。
【００５３】
本紙画像データ編集部４４３は、図５の場合と同様に、並び順を変更した後、並び位置４にある本紙原稿画像ＨＤＧが６の頁画像ＨＧのトレイ情報ＴＩを並び位置３にある頁画像ＨＧのトレイ情報ＴＩと同じ３に変更し、並び位置５にある本紙原稿画像ＨＤＧが４の頁画像ＨＧのトレイ情報ＴＩは２のまま変更せず、並び位置６の空白の頁画像ＨＧのトレイ情報ＴＩは並び位置５の頁画像ＨＧのトレイ情報ＴＩである２とし、並び位置７および８になった合紙のトレイ情報ＴＩは３のまま変更せず、並び位置９となった頁画像ＨＧのトレイ情報ＴＩは１のまま変更せず、並び位置１０の空白の頁画像ＨＧのトレイ情報ＴＩを１にするように、各トレイ情報ＴＩを編集する。なお、並び位置１，２，３の頁画像ＨＧのトレイ情報ＴＩの編集については、図５の場合と同様であるため、その説明を省略する。
【００５４】
図６Ｂは、並び位置７で本紙原稿画像ＨＤＧが４である頁画像ＨＧを、合紙を挟んで並び位置４へ移動させて並び順を変更させる態様を示している。図６Ｂにおいては、合紙の頁画像ＨＧの前の並び位置にある頁画像ＨＧの奇数であるため、本紙画像データ編集部４４３は、合紙の頁画像ＨＧの直前である並び位置４に空白の頁画像ＨＧを挿入している。入力部４Ｂが並び位置７で本紙原稿画像ＨＤＧが４である頁画像ＨＧを並び位置４に移動させる指示を受け受け付けると、本紙画像データ編集部４４３は、操作指示に基づいて、本紙原稿画像ＨＤＧが４である頁画像ＨＧを並び位置４に繰り上げ、合紙の頁画像の前の並び位置にある頁画像ＨＧの数が偶数となるため並び位置４にある空白の頁画像ＨＧを削除し、合紙の頁画像ＨＧの並び位置を変更せず、本紙原稿画像ＨＤＧが５である頁画像ＨＧを並び位置８から並び位置７に繰り上げ、並び位置８に空白の頁画像ＨＧが挿入するように、並び順を変更する。
【００５５】
本紙画像データ編集部４４３は、並び順を変更した後、並び位置が４で本紙原稿画像ＨＤＧが４の頁画像ＨＧのトレイ情報ＴＩを並び位置３の頁画像ＨＧのトレイ情報ＴＩである２に変更し、合紙のトレイ情報ＴＩは３のまま変更せず、並び位置７で本紙原稿画像が５のトレイ情報ＴＩも１のまま変更せず、並び位置８で空白の頁画像ＨＧのトレイ情報ＴＩは並び位置７のトレイ情報ＴＩと同じ１となるように、トレイ情報ＴＩを編集する。なお、並び位置１，２，３の頁画像ＨＧのトレイ情報ＴＩは、図５の場合と同様であり、その説明を省略する。
【００５６】
次に合紙の頁画像ＨＧを移動させることにより、複数の頁画像ＨＧの並び順を変更する態様について説明する。図７Ａおよび図７Ｂは合紙の頁画像ＨＧを移動させて頁画像ＨＧの並び順を変更する態様を示す模式図である。図７Ａは、合紙の頁画像ＨＧの前の並び位置にある頁画像ＨＧの数が偶数である態様を示す。入力部４Ｂが並び位置５および６にある合紙の頁画像を並び位置３および４に移動させる操作指示を受け付けると、本紙画像データ編集部４４３が、操作指示に基づいて、並び合紙の頁画像ＨＧと並び位置３および４にある頁画像ＨＧとが入れ替わるように、並び順が変更する。図７Ａにおいては、各頁画像ＨＧの並び位置が変更されても、並び順の変更によって裏から表または裏から表となる頁画像ＨＧが存在しないため、本紙画像データ編集部４４３は、各頁画像ＨＧのトレイ情報ＴＩは実質的に変更しない。
【００５７】
図７Ｂは、合紙の頁画像ＨＧの前の並び位置にある頁画像ＨＧの数が奇数である態様を示す。入力部４Ｂが並び位置５，６にある合紙の頁画像ＨＧを並び位置３，４に移動させる操作指示を受け付けると、本紙画像データ編集部４４３が、操作指示に基づいて、並び位置５，６にある合紙の頁画像ＨＧを並び位置３，４に繰り上げ、並び位置３にある本紙原稿画像ＨＤＧが３である頁画像ＨＧを並び位置５に繰り下げ、並び位置７，８，にある本紙原稿画像ＨＤＧが４，５である頁画像ＨＧを並び位置６，７に繰り上げ、並び位置８に空白の頁画像ＨＧを挿入するように、並び順を変更する。
【００５８】
本紙画像データ編集部４４３は、合紙の頁画像ＨＧのトレイ情報ＴＩは図７Ａの場合と同様に３のまま変更せず、並び位置５，７となった頁画像ＨＧのトレイ情報ＴＩは２，１のままで変更せず、並び位置６となった頁画像ＨＧのトレイ情報ＴＩを並び位置５のトレイ情報ＴＩである２に変更し、空白頁のトレイ情報ＴＩは並び位置７のトレイ情報ＴＩと同じ１にするように、各トレイ情報ＴＩを編集する。このように、入力部４Ｂが合紙の頁画像ＨＧを移動させる指示を受け付けても、本紙画像データ編集部４４３は、複数の頁画像ＨＧの並び順を変更できるとともに、同一用紙におけるトレイ情報ＴＩが整合するようにトレイ情報ＴＩを編集できる。
【００５９】
しかしながら、頁画像ＨＧの中には並び順を変更してもトレイ情報ＴＩを変更したくない場合もあり得る。たとえば、図５において、トレイ情報ＴＩの１に対応するトレイには、写真印刷用の本紙用紙、トレイ情報ＴＩの２に対応するトレイには、文字印刷用の本紙用紙がそれぞれ収納されており、本紙原稿画像ＨＤＧが１，２，５および６である頁画像ＨＧが写真を含み、本紙原稿画像ＨＤＧが４および６である頁画像が文字のみを含むものであるとき、図５のように並び順を変更すると、本紙原稿画像ＨＤＧが５および６である頁画像ＨＧのトレイ情報ＴＩが２となり、これらの頁画像は写真を含むにもかかわらず、文字印刷用の本紙用紙に印刷されてしまうことになる。
【００６０】
このため、制御部４４１は、図８に示すような設定画面を表示部４Ａに表示させ、他のトレイよりも優先するトレイを示す優先トレイの設定を入力部４Ｂに受け付けさせる。そして、本紙画像データ編集部４４３は、操作指示に基づいて並び順を変更した後、トレイ情報ＴＩが優先トレイである頁画像ＨＧが裏となる並び位置２，４，６…に移動した場合であってもトレイ情報ＴＩを変更せず、表となる並び位置１，３，５…に移動した場合であっても、同一用紙において裏となる並び位置２，４，６…の頁画像ＨＧのトレイ情報ＴＩが優先トレイである場合は、トレイ情報ＴＩを優先トレイに変更するように、トレイ情報ＴＩを編集する。なお、本実施形態では優先トレイを１として説明する。
【００６１】
図９は優先トレイのトレイ情報ＴＩを有する頁画像ＨＧを移動させて並び順を変更する態様の模式図である。図９において、入力部４Ｂは図５と同様の操作指示を受け付け、本紙画像データ編集部４４３は、図５と同様に頁画像ＨＧの並び順を変更するものとする。
【００６２】
そして、本紙画像データ編集部４４３は、操作指示に基づいて並び順を変更した後、並び位置４に移動した本紙原稿画像ＨＤＧが５である頁画像ＨＧはトレイ情報ＴＩが優先トレイであるためトレイ情報ＴＩは１のままで変更せず、同一用紙において表となる並び位置３にある頁画像ＨＧのトレイ情報ＴＩを１に変更し、並び位置５に移動した頁画像ＨＧは、同一用紙において裏となる並び位置６にある頁画像ＨＧのトレイ情報ＴＩが優先トレイであるため、トレイ情報ＴＩを１に変更し、並び位置６にある頁画像ＨＧのトレイ情報ＴＩは１のまま変更せずに、各トレイ情報ＴＩを編集する。これにより、優先トレイが設定された本紙原稿画像ＨＤＧが５，６である頁画像ＨＧは並び順が変更されたとしても、画像印刷用の本紙用紙に優先して印刷することができる。
【００６３】
次にデータ編集部４４の作用を説明する。図１０はデータ編集部４４の一連の処理を示すフローチャートである。制御部４４１がユーザ指定の原稿データＤＤを読み出す（ＳＴ１）。そして、表紙画像データ編集部４４２が表紙画像データＣＧＤを編集する（ＳＴ２）。制御部４４１が設定画面を表示して優先トレイを設定する（ＳＴ３）。入力部４Ｂが複数の頁画像ＨＧの並び順の変更指示を受け付け（ＳＴ４）、本紙画像データ編集部４４３が、操作指示に基づいて、複数の頁画像ＨＧの並び順を変更する（ＳＴ５）。
【００６４】
本紙画像データ編集部４４３は、並び順を変更した後、頁画像ＨＧが裏に印刷されるものであるかを判別し（ＳＴ６）、裏に印刷されるものである場合はトレイ情報ＴＩが優先トレイであるかを判別する（ＳＴ７）。そして、本紙画像データ編集部４４３は、トレイ情報ＴＩが優先トレイである場合はトレイ情報ＴＩを変更せず（ＳＴ８）、トレイ情報ＴＩが優先トレイではない場合にトレイ情報ＴＩを同一用紙の表に印刷される頁画像ＨＧのトレイ情報ＴＩに変更する（ＳＴ９）。
【００６５】
また、本紙画像データ編集部４４３は、頁画像ＨＧが表に印刷されるものである場合は、同一用紙の裏に印刷される頁画像ＨＧのトレイ情報ＴＩが優先トレイであるかを判別し（ＳＴ１０）、裏に印刷される頁画像ＨＧのトレイ情報ＴＩが優先トレイである場合は、トレイ情報ＴＩを優先トレイに変更し（ＳＴ１１）、トレイ情報ＴＩが優先トレイでない場合はトレイ情報ＴＩを変更しない。そして、本紙画像データ編集部４４３は、並び順を変更した後、全ての頁画像ＨＧのトレイ情報ＴＩを編集したかを確認し（ＳＴ１２）、編集が終了していない場合は、次の並び位置にある頁画像についてＳＴ６〜ＳＴ１１の処理を引き続き行い、全ての頁画像ＨＧに対して編集している場合は処理を終了する。
【００６６】
以上に述べた通り、上記の実施形態によれば、各トレイ情報ＴＩと各頁画像ＨＧとはそれぞれ関連付けられおり、入力部４Ｂが複数の頁画像ＨＧの並び順を変更する操作指示を受け付けると、本紙画像データ編集部４４３が、操作指示に基づいて、複数の頁画像ＨＧの並び順を変更するとともに、頁画像ＨＧが表に印刷されるものか裏に印刷されるものかを判別し、並び順を変更した後に表に印刷される頁画像ＨＧのトレイ情報ＴＩは変更せず、裏に印刷される頁画像ＨＧのトレイ情報ＴＩは同一用紙において表に印刷される頁画像ＨＧのトレイ情報ＴＩに変更することにより、複数の頁画像ＨＧの並び順を変更しても、同一用紙に表裏となる頁画像ＨＧのトレイ情報ＴＩは一致するため、ユーザはトレイ情報ＴＩの整合性を意識することなく、頁画像ＨＧの並び順を変更するとともにトレイ情報ＴＩを編集できる。
【００６７】
また、上記の実施形態によれば、本紙画像データ編集部４４３は、トレイ情報ＴＩが優先トレイであるか否かを判別するとともに、並び順を変更した後に裏に印刷される頁画像ＨＧのトレイ情報ＴＩが優先トレイであるときはトレイ情報ＴＩを変更せず、同一用紙において表に印刷される頁画像のトレイ情報ＴＩを優先トレイに変更することにより、並び順の変更によって本紙用紙を変更したくない頁画像ＨＧについてはトレイ情報ＴＩを優先トレイにすることで対応を可能にしつつ、ユーザはトレイ情報ＴＩの整合性を意識することなく、頁画像ＨＧの並び順を変更するとともにトレイ情報ＴＩを編集できる。
【００６８】
また、上記の実施形態によれば、入力部４Ｂが１つの頁画像ＨＧの選択を受け付けるともに、選択された１つの頁画像ＨＧを移動させる指示を受け付けることにより、複数の頁画像ＨＧの並び順を変更できるため、ユーザは簡単な操作でトレイ情報ＴＩの整合性を意識することなく、頁画像の並び順を変更するとともにトレイ情報ＴＩを編集できる。
【００６９】
また、上記の実施形態によれば、本紙画像データ編集部４４３は、頁画像の頁番号が奇数の場合は表に印刷される頁画像ＨＧと判別し、頁番号が偶数の場合は裏に印刷される頁画像ＨＧと判別するため、複雑な処理を行わずにトレイ情報ＴＩの整合性を意識することなく、頁画像ＨＧの並び順を変更するとともにトレイ情報ＴＩを編集できる。
【００７０】
なお、本実施形態は、くるみ製本システム１におけるデータ編集部４４として説明したが、特に限定されるものではなく、複数のトレイに分かれて収納されている用紙を複数枚用いて各用紙の表裏へ各頁画像をそれぞれ印刷するデータ編集装置であればよい。
【符号の説明】
【００７１】
ＨＧ    頁画像
ＨＧＤ  本紙画像データ
ＴＩ    トレイ情報
４      コンピュータ
４Ａ    表示部
４Ｂ    入力部
４Ｃ    本体
４４    データ編集部
４４１  制御部
４４３  本紙画像データ編集部
【図１】
2013236239.tif 000003
【図２】
2013236239.tif 000004
【図３Ａ】
2013236239.tif 000005
【図３Ｂ】
2013236239.tif 000006
【図４】
2013236239.tif 000007
【図５】
2013236239.tif 000008
【図６Ａ】
2013236239.tif 000009
【図６Ｂ】
2013236239.tif 000010
【図７Ａ】
2013236239.tif 000011
【図７Ｂ】
2013236239.tif 000012
【図８】
2013236239.tif 000013
【図９】
2013236239.tif 000014
【図１０】
2013236239.tif 000015